【手続補正書】
【提出日】平成17年7月7日(2005.7.7)
【手続補正１】
【補正対象書類名】明細書
【補正対象項目名】特許請求の範囲
【補正方法】変更
【補正の内容】
【特許請求の範囲】
【請求項１】
入力画像データを所定数の画素を含むブロックにブロック化し、上記ブロック化された画像データ毎に特徴量を抽出する特徴量抽出手段と、
上記特徴量をアドレスとして、上記ブロック化された画像データの位置情報を格納する格納手段と、
注目位置の上記ブロックの上記特徴量に基づいて、上記格納手段に格納された上記画像データの位置情報と上記特徴量とのマッチング処理を行い、マッチングした結果、規定範囲外にある場合には、近傍の特徴量を選択して再度マッチング処理を行うマッチング手段と
を有する画像処理装置。
【請求項２】
上記特徴量には周辺画素値を含む
請求項１記載の画像処理装置。
【請求項３】
上記画素値は複数のビットで表され、
上記マッチング手段は、フレーム毎にバラツキを含む画像の場合には、上記複数ビットの所定ビットを除いてマッチング処理を行う
請求項２記載の画像処理装置。
【請求項４】
上記マッチング手段は、上記複数ビットの下位側ビットをマスクしてマッチング処理を行う
請求項３記載の画像処理装置。
【請求項５】
上記マッチング手段は、上記複数ビットのビット数を少なくして再量子化を行う
請求項３記載の画像処理装置。
【請求項６】
上記特徴量には適応的量子化（ＡＤＲＣ）に基づく量子化コードを含む
請求項１記載の画像処理装置。
【請求項７】
上記マッチング手段は、マッチング結果に基づいて注目ブロックの動き検出を行い、検出した動き情報の値が規定範囲外にあるときに、近傍の特徴量を選択して再度マッチング処理を行う
請求項１記載の画像処理装置。
【請求項８】
上記マッチング手段は、マッチング処理を行う際の近傍の特徴量として、少なくとも特徴量をｎビット表現した際の所定ビットを反転させたものを対象とする
請求項１記載の画像処理装置。
【請求項９】
上記マッチング手段は、上記近傍の特徴量の選択において注目画素のパターンに応じてビット反転の形態を変更する
請求項８記載の画像処理装置。
【請求項１０】
画像データのカレントフレームの情報と参照フレームの情報とのマッチング処理を行う画像処理装置であって、
上記参照フレームの情報に基づいて注目画素を中心とした所定のブロック範囲の画素値を含む特徴量をアドレスとして変換し、変換後の位置座標を含む情報を格納する格納手段と、
上記カレントフレームの情報に含まれる注目画素の特徴量を、特徴量アドレスとして上記格納手段の格納情報を読み取り、カレントフレーム内の注目画素と上記格納手段から読み込んだ特徴量アドレスに含まれる位置座標との距離をそれぞれ演算し、各演算結果同士のマッチング処理を行い、特徴量が規定範囲外にある場合には、近傍の特徴量を選択して再度マッチング処理を行うマッチング手段と
を有する画像処理装置。
【請求項１１】
上記マッチング手段は、上記近傍の特徴量の選択を、ビット反転により行う
請求項１０記載の画像処理装置。
【請求項１２】
上記マッチング手段は、上記近傍の特徴量の選択において注目画素のパターンに応じてビット反転の形態を変更する
請求項１１記載の画像処理装置。
【請求項１３】
上記マッチング手段は、カレントフレーム内の注目画素と上記格納手段から読み込んだ特徴量アドレスに含まれる位置座標との距離をそれぞれ演算し、複数の候補の中から距離が最小である位置情報に基づいた差分座標を注目画素の動き情報として検出し、検出した動き情報の値が想定される動き情報の規定値より小さいときは、検出した動き情報を正しい情報として判断し、検出した動き情報の値が想定される動き情報の規定値以上の場合は、想定外の動き情報として判断して、カレントフレーム内の画素と上記格納手段で近い特徴量アドレスを生成し、近傍画素の位置情報に基づいて再度マッチング処理を行う
請求項１０記載の画像処理装置。
【請求項１４】
上記画素値は複数のビットで表され、
上記マッチング手段は、フレーム毎にバラツキを含む画像の場合には、上記複数ビットの所定ビットを除いて動き情報の検出を行う
請求項１０記載の画像処理装置。
【請求項１５】
上記マッチング手段は、上記複数ビットの下位側ビットをマスクしてマッチング処理を行う
請求項１４記載の画像処理装置。
【請求項１６】
上記マッチング手段は、上記複数ビットのビット数を少なくして再量子化を行う
請求項１４記載の画像処理装置。
【請求項１７】
画像データのカレントフレームの情報と参照フレームの情報とのマッチング処理を行う画像処理装置であって、
上記カレントフレームの情報を受けて適応的量子化（ＡＤＲＣ）に基づく量子化コードをカレントフレームの特徴量として生成し、上記参照フレームの情報を受けて適応的量子化（ＡＤＲＣ）に基づく量子化コードを参照フレームの特徴量として生成する特徴量生成手段と、
上記特徴量生成手段による参照フレームの特徴量をアドレスとして変換して、変換後の情報を格納する格納手段と、
上記特徴量生成手段によるカレントフレームの特徴量を、特徴量アドレスとして上記格納手段の格納情報を読み取り、カレントフレーム内の注目画素と上記格納手段から読み込んだ特徴量アドレスに含まれる上記ＡＤＲＣの量子化コードのマッチング処理を行い、特徴量が一致しない場合には、近傍の特徴量を選択して再度マッチング処理を行うマッチング手段と
を有する画像処理装置。
【請求項１８】
上記マッチング手段は、マッチング処理を行う際の近傍の特徴量として、少なくとも上記カレントフレームの特徴量をｎビット表現した際の所定ビットを反転させたものを対象とする
請求項１７記載の画像処理装置。
【請求項１９】
入力画像データを所定数の画素を含むブロックにブロック化する第１のステップと、
上記ブロック化された画像データ毎に特徴量を抽出する第２のステップと、
上記抽出された特徴量をアドレスとして、上記ブロック化された画像データの位置情報を格納手段に格納する第３のステップと、
注目位置の上記ブロックの上記特徴量に基づいて、上記格納手段に格納された上記画像データの位置情報と上記特徴量とのマッチング処理を行い、マッチングした結果、規定範囲外にある場合には、近傍の特徴量を選択して再度マッチング処理を行う第４のステップと
を有する画像処理方法。
【請求項２０】
画像データのカレントフレームの情報と参照フレームの情報とのマッチング処理を行う画像処理方法であって、
上記参照フレームの情報に基づいて注目画素を中心とした所定のブロック範囲の画素値を含む特徴量をアドレスとして変換し、変換後の位置座標を含む情報を格納手段に格納する第１のステップと、
上記カレントフレームの情報に含まれる注目画素の特徴量を、特徴量アドレスとして上記格納手段の格納情報を読み取り、カレントフレーム内の注目画素と上記格納手段から読み込んだ特徴量アドレスに含まれる位置座標との距離をそれぞれ演算する第２のステップと、
各演算結果同士のマッチング処理を行い、特徴量が規定範囲外にある場合には、近傍の特徴量を選択して再度マッチング処理を行う第３のステップと
を有する画像処理方法。
【請求項２１】
画像データのカレントフレームの情報と参照フレームの情報とのマッチング処理を行う画像処理方法であって、
上記カレントフレームの情報を受けて適応的量子化（ＡＤＲＣ）に基づく量子化コードをカレントフレームの特徴量として生成する第１のステップと、
上記参照フレームの情報を受けて適応的量子化（ＡＤＲＣ）に基づく量子化コードを参照フレームの特徴量と生成する第２のステップと、
上記第２のステップによる参照フレームの特徴量をアドレスとして変換し、変換後の情報を格納手段に格納する第３のステップと、
上記第１のステップによるカレントフレームの特徴量を、特徴量アドレスとして上記格納手段の格納情報を読み取り、カレントフレーム内の注目画素と上記格納手段から読み込んだ特徴量アドレスに含まれる上記ＡＤＲＡＣの量子化コードのマッチング処理を行い、マッチングの結果、特徴量が一致しない場合には、近傍の特徴量を選択して再度マッチング処理を行う第４のステップと
を有する画像処理方法。